(57)【特許請求の範囲】
【請求項１】
情報検知装置で得たデータをＩＤ信号として無線送信する送信機と、その送信機からの送信信号を受ける中継器と、その中継器から無線送信される信号を受ける受信機とから成り、送信時のノイズを常にセンシングして、そのノイズが無くなった状態の一定のレベルの時にのみ送信が接続する（通信される）情報伝送システムにおいて、前記中継器はリピーターを介在させて送信機からの送信信号を受け、ＡＣ１００Ｖのコンセントに端子を挿し込み設置され、リピーターが送信機から受信した受信信号が送信される第一の中継器と、やはりＡＣ１００Ｖのコンセントに端子を挿入して設置され屋内に配設された導線を通して第一の中継器からの信号が送り込まれる第二の中継器とより構成され、この第二の中継器からは信号が無線送信され、受信機は軽量で身体に着け携行可能なものとし、個人レベルで情報を得ることができることを特徴とする情報伝送システム。
【請求項２】
前記した第一の中継器には電話機の通信回線が接続され、管理センターのモニターへも情報を伝送できるものとしたことを特徴とする請求項１に記載の情報伝送システム。
【発明の詳細な説明】
【０００１】
【発明の属する技術分野】
本発明は情報伝送システムに関し、主として所定の空間、エリアにおいて種々の情報検知装置が、例えば異常状態等を検知した際、その検知した情報を略リアルタイムで管理センタ−をはじめ、各個人レベルにまで正確に伝送して知らしめることができることとした情報伝送システムに関する。
【０００２】
【発明の背景】
近時、建築物や施設等にあっては火災発生、盗難、破損等を自動的に検知する種々のセンサ−が配備され、そのセンサ−が種々の情報を感知すると、スイッチが入力されて音響装置等の鳴動開始のほか、通信回線を介して接続された管理センタ−に事態を告知し、係員が現場へ出向するといったシステムが開示されている。
【０００３】
しかしながら、従来のシステムにあっては情報を得ることができるのは外部である管理センタ−のみとなっており、在住の個人や警備員等には即時に情報が伝達され得ないものとなっており、さらに、通信回線を介しての接続のため、その通信回線が破損した場合、精度のよい情報の伝達は困難なものとなってしまう。
【０００４】
【発明の目的】
そこで、本発明は係る従来のシステムの実情、問題点に着目してなされたもので、かかる問題点を解消してほとんどリアルタイムで個人レベルまで情報を得ることができ、しかもその伝送過程にあって不測の事故の発生に伴う情報伝達の不正確性をきわめて小さく抑えることができる信頼性の高い情報伝送システムを提供することを目的としている。
【０００５】
【課題を解決するための手段】
この目的を達成するために、本発明に係る情報伝送システムは情報検知装置で得たデータをＩＤ信号として無線送信する送信機と、その送信機からの送信信号を受ける中継器と、その中継器から無線送信される信号を受ける受信機とから成り、送信時のノイズを常にセンシングして、そのノイズが無くなった状態の一定のレベルの時にのみ送信が接続する（通信される）情報伝送システムにおいて、前記中継器はリピーターを介在させて送信機からの送信信号を受け、ＡＣ１００Ｖのコンセントに端子を挿し込み設置され、リピーターが送信機から受信した受信信号が送信される第一の中継器と、やはりＡＣ１００Ｖのコンセントに端子を挿入して設置され屋内に配設された導線を通して第一の中継器からの信号が送り込まれる第二の中継器とより構成され、この第二の中継器からは信号が無線送信され、受信機は軽量で身体に着け携行可能なものとし、個人レベルで情報を得ることができることを特徴とし、前記した第一の中継器には電話機の通信回線が接続され、管理センターのモニターへも情報を伝送できるものとしたことを特徴としている。
【０００６】
【作用】
上記した構成としたことにより、受信機を個人が常時携行することができるタイプとすることで略リアルタイムで情報を得ることができ、素速い対処が可能となり、同時に管理センタ−も事態の把握と処置が可能となる。また、中継器は情報を無線で受け、無線で発信するものとなって途中の障害も小さく、ノイズをセンシングすることでクリアな伝送が可能となる。さらにはリピ−タ−を介在させることで受信機の性能をさほど高くしなくとも非同調として単一信号により処理することができるものとなるのである。
【０００７】
【発明の実施の形態】
次に、本発明の好ましい実施の形態を図１を参照して説明する。図１は本発明を実施した情報伝送システムの概念を示すブロック図である。
【０００８】
これらの図にあって１・１…は送信機を示している。この送信機１・１…は例えば、火災検知、不審者侵入、鍵破損等々各所に配備されたセンサ−と連動されており、そのセンサ−が異変発生等の情報を感知した際、スイッチが入力され、そのスイッチの入力に伴って起動するものとされ、得られた情報をＩＤ信号として無線送信（発信）することとなっている。
【０００９】
この送信機１・１…からの送信信号はリピ−タ−２・２を介して第一の中継器３・３へ送られる。リピ−タ−２・２を介在させることで単一信号で受け、単一信号で送ることが可能となり、一回信号を受けると少なくとも１０回（何回でも設定は可能）程度信号を飛ばしてやることとし、そのため、受信側は非同調で受けることとなる。
【００１０】
また、前記した第一の中継器３・３は商業用のＡＣ１００Ｖのコンセントを利用し、そこに端子を挿し込むことで設置される。この第一の中継器３・３には通常の電話機４・４の通信回線が接続され、管理センタ−におけるモニタ−等へも情報を伝送できるものとしている。
【００１１】
さらに、前記した第一の中継器３・３は第二の中継器５・５と接続され、その第二の中継器５・５へ第一の中継器３・３から受信した情報信号を送り込むものとなっている。この第二の中継器５・５も商業用ＡＣ１００Ｖ電源のコンセントに端子を挿入することで設置されるものとなっており、送られる情報信号は壁内や床下、天井裏等々に配設された導線内を通って行くこととなっている。
【００１２】
この導線内を通す信号は変調信号となり、この変調波は略１ＫＨｚで１２００ｂｐｓの速度で信号を乗せることになる。この際キャリアは１５０ＫＨｚと設定されるが掛け算をすることで数値は求められる。
【００１３】
この第二の中継器５・５…からは無線送信によって端末となる受信機６・６…へ情報信号を送ることとなる。この受信機６・６…は例えば腕時計タイプ等の軽量でかつ身体に常に着け携行可能なものとすることで、バイブレ−ション等の機能も付帯させ、個人レベルでも即時に情報を得ることが可能となる。
【００１４】
本システムにあって、信号を出した時のノイズに対しては、常にノイズをセンシングすることで、即ち、ノイズはそのままとしてそのノイズが無くなった状態の一定のレベルの時にのみ送信が接続する（通信する）こととなり、その送信速度は２４００ｂｐｓ程度が想定される。
【００１５】
【発明の効果】
本発明に係る情報伝送システムは上述のように構成されている。そのために、情報はほとんどリアルタイムで多岐に亘って必要個所へ伝送されることとなり、迅速な対処と不必要な出動を抑えることも可能となり、媒体として導線を用いることで不測の誤りや事故も最小限となり、さらに、格別にノイズ除去等を必要としないのでロ−コストにて需要者に供給することができるシステムとなっている。
【図面の簡単な説明】
【図１】本発明を実施した情報伝送システムの概念を示すブロック図である。
【符号の説明】
１  送信機
２  リピ−タ−
３  第一の中継器
４  電話機
５  第二の中継器
６  受信機
【図１】
0004362181.tif 000002